(57)【要約】【課題】毛髪に切れ毛等のない良好なカール状態が安定かつ容易に得られるヘアーアイロンを提供する。【解決手段】軸を中心にして回動自在に連結された一対のアームを有し、該アームの先端部の対向面に毛髪押圧板がそれぞれ設けられたヘアーアイロンにおいて、各毛髪押圧板は、その各押圧面が毛髪の抜き方向に沿った曲面で形成されると共に、該毛髪押圧板の毛髪の抜き方向の毛根側端部に曲面を有する所定長さの断熱材が配設されていることを特徴とする。前記毛髪押圧板は、その毛髪の抜き方向の毛先側端部に櫛が配設され、また前記断熱材の近傍にはヒータやエアー吹出口が設けられる。【選択図】　図３
2004033702.tif 000002
【特許請求の範囲】
【請求項１】
軸を中心にして回動自在に連結された一対のアームを有し、該アームの先端部の対向面に毛髪押圧板がそれぞれ設けられたヘアーアイロンにおいて、
前記各毛髪押圧板は、その各押圧面が毛髪の抜き方向に沿った曲面で形成されると共に、該毛髪押圧板の毛髪の抜き方向の毛根側端部に曲面を有する所定長さの断熱材が配設されていることを特徴とするヘアーアイロン。
【請求項２】
前記毛髪押圧板は、その毛髪の抜き方向の毛先側端部に櫛が配設されていることを特徴とする請求項１に記載のヘアーアイロン。
【請求項３】
前記断熱材の近傍にヒータが配設されていることを特徴とする請求項１または２に記載のヘアーアイロン。
【請求項４】
前記断熱材の近傍にエアー吹出口が設けられていることを特徴とする請求項１ないし３のいずれかに記載のヘアーアイロン。
【発明の詳細な説明】
【０００１】
【発明の属する技術分野】
本発明は、毛髪をカールする際に使用されるヘアーアイロンに関する。
【０００２】
【従来の技術】
一般的に、毛髪をカールする場合、回動自在に連結した一対のアームの先端部内面にヒータが内臓された毛髪圧押圧板を設け、この両毛髪押圧板で毛髪を挟みながら加熱することによって行っている。従来、この毛髪のカールに使用されるヘアーアイロンとしては、例えば特開平１１−２１６０１２号公報に開示のように、毛髪押圧板を平坦に形成し、毛髪を挟み込みながら毛髪を抜く際に毛髪押圧板の毛髪の抜き方向の角部に巻き付けながら行っている。
【０００３】
【発明が解決しようとする課題】
しかしながら、このヘアーアイロンにあっては、毛髪をカールする際に毛髪押圧板の角部によって毛髪に傷が付き切れ毛が発生したり、多数の毛髪に同じカール条件を与えることが困難で、良好なカール状態を安定かつ容易（スムーズ）に得ることが難しいという問題点を有している。
【０００４】
また、平板状の毛髪押圧板に代えて円柱状の一対の押圧棒を有するヘアーアイロンも一部で使用されているが、このヘアーアイロンにおいても、押圧棒の毛髪への接触面積が小さいため、毛髪に良好な加熱状態（カール状態）を得ることが困難であったりカールの作業性が劣る等、上記ヘアーアイロンと同様に良好なカール状態を安定かつ容易に得ることが難しいという問題点を有している。
【０００５】
本発明は、このような事情に鑑みてなされたもので、その目的は、毛髪に切れ毛等のない良好なカール状態が安定かつ容易に得られるヘアーアイロンを提供することにある。
【０００６】
【課題を解決するための手段】
かかる目的を達成すべく、本発明のうち請求項１に記載の発明は、軸を中心にして回動自在に連結された一対のアームを有し、該アームの先端部の対向面に毛髪押圧板がそれぞれ設けられたヘアーアイロンにおいて、前記各毛髪押圧板は、その各押圧面が毛髪の抜き方向に沿った曲面で形成されると共に、該毛髪押圧板の毛髪の抜き方向の毛根側端部に曲面を有する所定長さの断熱材が配設されていることを特徴とする。
【０００７】
そして、前記毛髪押圧板は、請求項２に記載の発明のように、その毛髪の抜き方向の毛先側端部に、例えばカール時に毛髪を梳かすことが可能な櫛が配設されていることが好ましい。また、請求項３に記載の発明のように、前記断熱材の近傍に、毛髪のカール開始位置を効果的に加熱するヒータが配設されていることが好ましく、さらに、請求項４に記載の発明のように、前記断熱材の近傍に、加熱された毛髪を冷やすことが可能なエアーを吹き出すエアー吹出口が設けられていることが好ましい。
【０００８】
【発明の実施の形態】
以下、本発明の実施の形態を図面に基づいて詳細に説明する。
図１〜図３は、本発明に係わるヘアーアイロンの一実施例を示し、図１がその側面図、図２がその平面図、図３が図２のＡ−Ａ線に沿った断面図である。
【０００９】
図１〜図３において、ヘアーアイロン１は、把持部２ａ、３ａが設けられた一対のアーム２、３を有している。このアーム２、３は、把持部２ａ、３ａを手で把持することにより、軸４を中心に矢印イの如く回動し、その先端部の対向面（内側面）に設けた所定長さの毛髪押圧板５、６が所定圧（所定隙間）で接触するように構成されている。
【００１０】
前記毛髪押圧板５、６は、熱伝導率の高い銅板等で形成され、図３に示すように、毛髪押圧板５、６の外周部が例えば樹脂製で外周面が円弧形状のカバー７、８で覆われ、毛髪押圧板５、６に設けたフック状の一対のネジ固定部９をカバー７、８にネジ１０をそれぞれネジ込むことによって、毛髪押圧板５、６とカバー７、８とがそれぞれ一体化されている。
【００１１】
また、前記毛髪押圧板５、６は、その互いに対向して接触する押圧面５ａ、６ａが、凹状と凸状の円弧形状に形成され、毛髪押圧板５の円弧形状の円周方向、すなわち毛髪の抜き方向ロ（図３参照）の毛根側端部の下面には、毛髪押圧板５の長手方向に沿って所定長さの断熱材１１が配設されている。この断熱材１１は、シリコン、スポンジ、ゴム、その他の樹脂、木材等で所定の断熱性と弾性率を有する材料で形成され、毛髪押圧板５に設けられた凹溝１２にその突条１１ａが嵌合固着されることによって取り付けられている。
【００１２】
そして、この断熱材１１の外表面１１ｂは、毛髪押圧板５の円弧形状の押圧面５ａの端部に曲線状に連続すると共に、下方先端部で曲線状に曲がり外方に向って所定の曲線状となるように形成されている。この断熱材１１の外周面１１ｂの滑らかな曲線によって後述する如く毛髪Ｈに良好なカールが得られることになる。なお、この断熱材１１は、毛髪押圧板５に予め固定的に配設することもできるが、例えば毛髪押圧板５に対して着脱可能に配設することで、毛髪Ｈの状態や要求されるカール状態に応じて交換可能に構成し、使い勝手の向上を図ることもできる。
【００１３】
また、この毛髪押圧板５には、その断熱材１１が配設される抜き方向ロの毛根側端部の内部に、例えばセラミックスヒータ等からなるヒータ１３が斜めの状態で内蔵され、他方の毛髪押圧板６には、その凸状の頂部部分に水平状態で前記ヒータ１３と同様のヒータ１４が内臓されている。
【００１４】
そして、これらのヒータ１３、１４は、一方のアーム２の一方の側面に設けられてヒータスイッチ１５（図１及び図２参照）及び軸４後方に引き出された電源コード１６等を介して例えばＡＣ１００Ｖ電源１７に接続されている。このヒータスイッチ１５がオンすることにより、ヒータ１３、１４に電源が供給されて、毛髪押圧板５、６の押圧面５ａ、６ａが所定温度まで加熱されるようになっている。
【００１５】
さらに、下方のアーム３の断熱材１１の近傍には、その長手方向に沿って所定間隔で穿設された吹出口を有するエアー管１８が内蔵、外付け等により配設されている。このエアー管１８は、例えばアーム２の他方の側方に配設されたエアースイッチ１９及び前記電源コード１６にクランプ２０で一体化されたチューブ２１等を介してコンプレッサー２２に接続されている。このエアースイッチ１９をオンさせることにより、コンプレッサー２２からエアーがエアー管１８に供給されてその吹出口から図３の矢印ハの如く吹き出されるようになっている。
【００１６】
また、他方のアーム３の抜き方向ロの毛先側端部には、外方でかつ略水平方向に向けて前記断熱材１１と略同一長さの櫛２３が配設されている。この櫛２３によって一対の毛髪押圧板５、６間に毛髪Ｈが梳かされつつ挟み込まれることになる。この櫛２３も、断熱材１１と同様に固定的に配設しても良いし、着脱可能に配設することもできる。
【００１７】
このヘアーアイロン１によれば、先ず、ヒータスイッチ１５をオンさせ、一対のアーム２、３の先端部を開いた状態で、毛髪押圧板５、６間に毛髪Ｈを入れてその毛根側端部Ｈａを位置させ、アーム２、３を手で押圧して毛髪押圧板５、６で毛髪Ｈを挟み込む。この挟み込み状態を所定時間維持することで、毛髪押圧板５、６のヒータ１３、１４への通電で各押圧板５、６の押圧面５ａ、６ａが所定温度まで上昇し、これにより毛髪Ｈが加熱される。この時、一方の毛髪押圧板５のヒータ１３が毛根側に配置されていることから、カールすべき毛髪Ｈの毛根側端部Ｈａを効率的に加熱することが可能になり、カール開始位置が均一化かつ安定化する。
【００１８】
そして、毛髪押圧板５、６で毛髪Ｈを挟み込んだ状態で、アーム２、３を図３の矢印ニ方向に回動させつつ、エアースイッチ１９をオンさせ、一対のアーム２、３を抜き方向ロである毛髪Ｈの毛先側端部Ｈｂ方向に移動させると、毛髪Ｈが毛髪押圧板５、６の円弧状の押圧面５ａ、６ａで加熱されつつ引き抜かれ、毛髪Ｈに所定のカールが付与される。この毛髪Ｈの引き抜き時に、アーム２、３の矢印ニ方向への回動で毛髪Ｈの毛根側端部Ｈａが断熱材１１の外周面１１ｂに接触しつつ引き抜かれるため、ヒータ１３の熱が断熱材１１で遮断されて毛髪Ｈの毛根側端部Ｈａの異常加熱が防止されると共に、毛髪Ｈが断熱材１１の曲面からなる外周面１１ｂやこれに連続する押圧面５ａ、６ａに接触しつつ引き抜かれることから、毛髪Ｈの切れ毛等が確実に防止される。
【００１９】
また、毛髪Ｈの引き抜き時に、断熱材１１方向に向けてエアー管１８からのエアーが吹き出されることから、加熱された毛髪Ｈがこのエアーで冷却されつつ引き抜かれ、カール状態が所定に維持される。さらに、この引き抜き的に、毛髪押圧板５、６で挟まれた毛髪Ｈの毛先側端部Ｈｂが櫛２３によって梳かれつつ引き抜かれることから、例えば毛髪Ｈが重なった状態での加熱が防止され、毛髪一本一方を確実に加熱できて、一層良好なカール状態が得られる。
【００２０】
つまり、毛髪押圧板５、６の押圧面５ａ、６ａを曲面で形成すると共に、その毛髪側端部に外周面１１ｂが滑らかな曲面で形成された断熱材１１を配設しているため、この断熱材１１の外周面１１ｂに毛髪Ｈを巻き付けつつ引き抜くことで、毛髪Ｈに切れ毛等のない良好なカール状態を得ることができる。その際、断熱材１１の近傍にヒータ１３を配設することで、毛髪Ｈのカール開始位置を安定化できると共に、断熱材１１部分にエアー管１８を設けることで、加熱された毛髪Ｈを冷却しつつ引き抜きでき、さらに毛髪押圧板５、６の反断熱材１１側に櫛２３を配設することで各毛髪Ｈを確実に梳かしつつカールできることになる。
【００２１】
なお、上記実施例においては、毛髪押圧板５、６の押圧面５ａ、６ａが円弧形状である場合について説明したが、本発明は他の曲面の毛髪押圧板にも適用することができるし、上記実施例におけるアーム２、３、断熱材１１、エアー管１８の配設位置、櫛２３の形状やその配設位置等も一例であって、適宜に変更することができる。
【００２２】
【発明の効果】
以上詳述したように、請求項１記載の発明によれば、毛髪押圧板の押圧面が曲面で形成されると共に毛髪押圧板の毛髪の抜き方向の毛髪側端部に所定長さの曲面を有する断熱材が配設されているため、断熱材により毛髪の加熱し過ぎを防止しつつ効果的に冷却できて、毛髪に切れ毛等のない良好なカール状態を安定かつ容易に得ることができる。
【００２３】
また、請求項２に記載の発明によれば、請求項１に記載の発明の効果に加え、毛髪押圧板の毛髪抜き方向の毛先側端部に櫛が配設されているため、カール時に毛髪を梳かしつつ行うことができて、毛髪に一層良好なカール状態を得ることができる。
【００２４】
また、請求項３に記載の発明によれば、請求項１または２に記載の発明の効果に加え、毛髪押圧板の断熱材の近傍にヒータが発生されているため、毛髪のカール開始部分を効果的に加熱することができて、毛髪により一層良好なカール状態を得ることができる。
【００２５】
また、請求項４に記載の発明によれば、請求項１ないし３に記載の発明の効果に加え、断熱材の近傍にエアー吹出口が設けられているため、加熱された毛髪を効果的に冷却できて、毛髪により一層良好なカール状態を得ることができる。
【図面の簡単な説明】
【図１】本発明に係わるヘアーアイロンの一実施例を示す側面図
【図２】同その平面図
【図３】同図２のＡ−Ａ線に沿った断面図
【符号の説明】
１：ヘアーアイロン、２、３：アーム、４：軸、５、６：毛髪押圧板、５ａ、６ａ：押圧面、７、８：カバー、１１：断熱材、１１ａ：外周面、１３、１４：ヒータ、１５：ヒータスイッチ、１８：エアー管、２３：櫛、Ｈ：毛髪、Ｈａ：毛根側端部、Ｈｂ：毛先側端部。
【図１】
2004033702.tif 000003
【図２】
2004033702.tif 000004
【図３】
2004033702.tif 000005